(57)【要約】【課題】構成部品及び組立工数を増加させることなく、搭載される携帯電話機のアンテナ放射特性への影響を抑制した電池パック及び携帯無線端末のアンテナ特性改善方法を提供する。【解決手段】セル６側に凸でばね性を備えたばね突起部８を設けた金属ＴＡＢ７を有し、ばね突起部８をセル６に接触させる。【選択図】図２
2009193873.tif 000002
【特許請求の範囲】
【請求項１】
セル側に凸でばね性を備えたばね突起部を設けた金属タブを有し、前記ばね突起部を前記セルに接触させたことを特徴とする電池パック。
【請求項２】
前記ばね突起部が、前記金属タブの一部を切り欠いて片持ち状態とすることによって形成されたことを特徴とする請求項１記載の電池パック。
【請求項３】
前記ばね突起部は、前記セル側に凸となるように中間部が湾曲又は屈曲させられていることを特徴とする請求項１又は２記載の電池パック。
【請求項４】
セル側に凸でばね性を備えたばね突起部を金属タブに設け、前記ばね突起部を前記セルに接触させることにより、電池パックの共振周波数を携帯無線端末のアンテナの共振周波数と異ならせることを特徴とする携帯無線端末のアンテナ特性改善方法。
【請求項５】
前記ばね突起部を、前記金属タブの一部を切り欠いて片持ち状態とすることによって形成することを特徴とする請求項４記載の携帯無線端末のアンテナ特性改善方法。
【請求項６】
前記ばね突起部を、前記セル側に凸となるように中間部が湾曲又は屈曲させることを特徴とする請求項４又は５記載の携帯無線端末のアンテナ特性改善方法。
【発明の詳細な説明】
【技術分野】
【０００１】
本発明は携帯電話機に適用される電池パックに関し、特に、構成部品及び組立工数を増加させることなく、搭載される携帯電話機のアンテナ放射特性への影響を抑制した電池パック及び携帯無線端末のアンテナ特性改善方法に関する。
【背景技術】
【０００２】
近年、携帯電話機のアンテナは、電話機の筐体内に内蔵されているタイプが主流であり、電池パックの近くに配置される場合も多い。
【０００３】
図５に、一般的な電池パックの構成を示す。電池パックは、保護回路基板１、保護回路基板の部品実装部２、ＰＴＣ（Positive Temperature coefficient）３、金属ＴＡＢ４、インシュレータ（絶縁体）５、及びセル６を有する。電池パック内部のセル６、金属ＴＡＢ４は金属であるため、電池パックがアンテナのように振る舞ってしまい、携帯電話機本体のアンテナと共振して無線特性を劣化させてしまうことがある。
【０００４】
旧来の設計では、携帯電話機本体のアンテナと電池パック内部の金属ＴＡＢとを極力遠ざけて配置し、携帯電話機の無線特性の劣化を最小限に抑える手法が採られてきた。
【０００５】
電池パックの存在に起因する携帯電話機のアンテナ放射特性の劣化を抑えることに関連する技術として、特許文献１に開示される「携帯無線装置」がある。
【特許文献１】特開平１１−５５１４８号公報（図１３、００１３、００５１〜００５４段落）
【発明の開示】
【発明が解決しようとする課題】
【０００６】
しかし、特許文献１に開示される発明は、電池パックの周囲長の半分と電極端子の長さとの和が使用周波数における１／４波長以上でなければならないため、電池パックや携帯電話機の設計に制約を伴うこととなる。換言すると、特許文献１に開示される発明は、電池パックと携帯電話機との双方に設計上の制約が生じるため、電池パックの仕様を変更した場合には、携帯電話機本体の仕様も変更しなければならない。
【０００７】
このように、電池パック側のみの設計によって、電池パックの存在に起因する携帯電話機のアンテナ放射特性の劣化を抑えることが実現されていなかった。
【０００８】
本発明は係る問題に鑑みてなされたものであり、構成部品及び組立工数を増加させることなく、搭載される携帯電話機のアンテナ放射特性への影響を抑制した電池パック及び携帯無線端末のアンテナ特性改善方法を提供することを目的とする。
【課題を解決するための手段】
【０００９】
上記目的を達成するため、本発明は、第１の態様として、セル側に凸でばね性を備えたばね突起部を設けた金属タブを有し、ばね突起部をセルに接触させたことを特徴とする電池パックを提供するものである。
【００１０】
また、上記目的を達成するため、本発明は、第２の態様として、セル側に凸でばね性を備えたばね突起部を金属タブに設け、ばね突起部をセルに接触させることにより、電池パックの共振周波数を携帯無線端末のアンテナの共振周波数と異ならせることを特徴とする携帯無線端末のアンテナ特性改善方法を提供するものである。
【発明の効果】
【００１１】
本発明によれば、構成部品及び組立工数を増加させることなく、搭載される携帯電話機のアンテナ放射特性への影響を抑制した電池パック及び携帯無線端末のアンテナ特性改善方法を提供できる。
【発明を実施するための最良の形態】
【００１２】
図１に、本実施形態に係る電池パックの内部構造を示す。電池パックは、保護回路基板１、保護回路基板の部品実装部２、ＰＴＣ３、インシュレータ（絶縁体）５、セル６、金属ＴＡＢ７を有する。保護回路基板１、保護回路基板の部品実装部２、ＰＴＣ３、インシュレータ（絶縁体）５、セル６は公知のものを適用できるため、説明は省略する。
【００１３】
図２に、金属ＴＡＢ７を拡大して示す。金属ＴＡＢ７は、ばね突起部８を備えている。
また、図３は、金属ＴＡＢ７の斜視図である。また、図４（ａ）は金属ＴＡＢ７の側面図であり、図４（ｂ）は金属ＴＡＢ７の上面図である。金属ＴＡＢ７は、略コの字状に切り込みが形成されており、その部分がばね突起部８となることによって金属ＴＡＢ切り欠き部９が形成されている。図示するように、ばね突起部８は片持ち状態で金属ＴＡＢ７に支持されており、その途中が折られたり曲げられたりすることによって、セル６側に凸形状をなしている。
【００１４】
図１、図２及び図３に示すように、金属ＴＡＢ７は電池パックとして組み立てた時には、ばね突起部８がセル６の一部と接触する。
【００１５】
本実施形態においては、電池パックのセル６と金属ＴＡＢ７とを接触させることにより、アンテナとして振る舞う電池パックの共振周波数が変化する。これにより、電池パックの共振周波数を携帯電話機本体に実装されているアンテナの共振周波数と異ならせることができ、携帯電話機の無線特性への影響を削減できる。
【００１６】
また、金属ＴＡＢ７とセル６とを接触させるための構造は、金属ＴＡＢ７にばね突起部８を設けるだけで良く、従来と変わらない構成部品で実現可能である。よって、電池パックの生産性を低下させることはない。すなわち、テープなどで金属ＴＡＢ７を外側からセル６に貼り付けるようにしても同等の効果が得られるものの、構成部品や工数の増加を招くのに対し、本実施形態の構成では構成部品や工数の増加を招くことがない。
【００１７】
電池パック全体としての共振周波数は、金属ＴＡＢ７の寸法や形状、ばね突起部を設ける位置を変えることで変更できるため、携帯電話機のアンテナの共振周波数との差別化は、電池パック側のみの設計変更のみで行える。従って、携帯電話機側の仕様を変更することなく複数種の携帯電話機に対応可能であり、高い普遍性を有する。
【００１８】
なお、上記実施形態は本発明の好適な実施の一例であり、本発明はこれに限定されることない。
例えば、上記実施形態においては携帯電話機に適用される電池パックを例としたが、本発明は携帯電話機に限らず携帯無線端末一般に適用可能である。
このように、本発明は様々な変形が可能である。
【図面の簡単な説明】
【００１９】
【図１】本発明の好適な実施の形態に係る電池パックの構造を示す図である。
【図２】本発明の好適な実施の形態に係る電池パックの金属ＴＡＢの拡大図である。
【図３】本発明の好適な実施の形態に係る電池パックの金属ＴＡＢ部の斜視図である。
【図４】（ａ）は本発明の好適な実施の形態に係る電池パックの金属ＴＡＢ部の側面図であり、（ｂ）は本発明の好適な実施の形態に係る電池パックの金属ＴＡＢ部の上面図である。
【図５】通常の電池パックの構造を示す図である。
【符号の説明】
【００２０】
１    保護回路基板
２    保護回路基板の部品実装部
３    ＰＴＣ
４、７    金属ＴＡＢ
５    インシュレータ
６    セル
８    ばね突起部
９    金属ＴＡＢ切り欠き部
【図１】
2009193873.tif 000003
【図２】
2009193873.tif 000004
【図３】
2009193873.tif 000005
【図４】
2009193873.tif 000006
【図５】
2009193873.tif 000007